(57)【要約】【課題】インターネット等にて利用されるメールアドレスやホームページアドレスをマウスにて容易にコンピュータへ入力できるようにする。【解決手段】コンピュータの画面上に表示されるポインタの位置の制御や、該ポインタが指定したコマンドの選択及び実行を制御するマウス１にイメージセンサ７を装着する。更に、該マウス１にホットキーを装着し、該ホットキーを押圧することにより前記イメージセンサ７が動作するように構成する。そして、該イメージセンサ７にＯＣＲ機能を付与すると共に、該ＯＣＲ機能をアルファベット及び数字並びに記号の読み取りに限定する。又、前記イメージセンサ７の近傍には該イメージセンサ７の読み取り位置を検知するカウンタローラ８が設けられている。【選択図】  図１
2004152028.tif 000002
【特許請求の範囲】
【請求項１】
コンピュータの画面に表示されるポインタ等の位置の制御及び、該ポインタで指定したオブジェクトをクリックして決定動作等を制御するマウスに於いて、該マウス本体にイメージセンサを装着したことを特徴とするマウス。
【請求項２】
上記マウス本体にホットキーを設け、該ホットキーを押圧することにより、上記イメージセンサが動作して紙面上等の画像データを読み取れるように構成したことを特徴とする請求項１記載のマウス。
【請求項３】
上記マウス本体に装着した上記イメージセンサに光学式文字認識機能を付与することにより、該イメージセンサにて読み込んだ文字や記号の画像データをキャラクターデータへ変換できるように構成したことを特徴とする請求項１又は２記載のマウス。
【請求項４】
上記イメージセンサに付与した画像データをキャラクターデータへ変換するＯＣＲ機能を、アルファベット及び数字並びに記号に限定したことを特徴とする請求項１，２又は３記載のマウス。
【請求項５】
上記イメージセンサの読み取り位置を認識して該イメージセンサの読み取りを可能にするカウンタローラ機能をマウスの光学的移動検出手段に兼備させたことを特徴とする請求項１記載のマウス。
【発明の詳細な説明】
【０００１】
【発明の属する技術分野】
本発明は、イメージセンサを装着したマウスに関するものであり、特に、文字や記号などを読み取れるようにしたマウスに関するものである。
【０００２】
【従来の技術】
従来のマウスは、ケース内部にトラックボールが回動自在に装着され、且つ、該トラックボールはケース下面に露出されており、又、該ケース上面前部には右ボタン及び左ボタンが設けられている。
【０００３】
そして、前記トラックボールはマウスの移動に伴って回転し、該回転によってケース内に内臓された検知手段によって移動距離を認識し、その移動距離に連動してコンピュータの画面上のポインタ等の位置を移動制御するように構成されている。
【０００４】
又、前記右ボタン及び左ボタンはクリックすることにより、各種の信号を発信し、特に、前記ポインタとの組み合わせによってコンピュータ画面上の種々の制御を可能にする。
【０００５】
そして、マウスには前述の機能に加えて、更に、種々の機能を付加したものが知られている。
例えば、マウスに光源を装着し、絵柄をマウスのケース上面に表示できるようにしてコンピュータ操作に伴うストレスの低減を可能にしたマウスが提案されている（例えば、特許文献１参照）。
【０００６】
又、マウスケースの上面に露出する第二のトラックボールを装着し、該トラックボールを回転することにより、コンピュータの画面を上下左右にスクロールできるように構成されたものが提案されている（例えば、特許文献２参照）。
【０００７】
更に、位置情報を入力するマウスに記録媒体を収容できるように形成し、該記録媒体へデータを記憶できるように構成したものが提案されている（例えば、特許文献３参照）。
【０００８】
【特許文献１】
特開２００１−２２８９６９
【０００９】
【特許文献２】
特開２００２−７３２７４
【００１０】
【特許文献３】
特開２０００−２２２１２２
【００１１】
【発明が解決しようとする課題】
上述した従来のマウスは、該マウスを移動することにより、該移動を検知して該移動データを該マウスよりコンピュータへ出力できるように構成されている。そして、該コンピュータの画面に表示されるポインタを該マウスの移動と連動させ、該ポインタの位置を制御できるように構成されている。又、左右のボタンをクリックすることにより、各種の信号を発信し、特に、前記ポインタとの組み合わせによってコンピュータ画面上の種々の制御が可能となるように構成されている。
【００１２】
そして、前述のマウスの本来の機能に加えて、種々の機能を付加したものが知られている。例えば、マウスに光源を装着し、絵柄をマウスのケース上面に表示できるようにしたマウスが知られている。
【００１３】
又、マウスケースの上面に露出する第二のトラックボールを装着し、該第二のトラックボールによってコンピュータの画面のスクロールを可能にしたマウスが提案されている。
【００１４】
更に、データを保存した記憶媒体のデータをマウスに収容して該記憶媒体のデータの読み書きを可能にしたマウスが提案されている。
然しながら、近年インターネットが普及したことにより、メールを送信する機会が頻繁となってきており、そして、該メールを送信する際には、メールアドレスをキーボードにてコンピュータに入力する煩雑な操作が必要となっている。
【００１５】
又、ホームページの閲覧の際には、該ホームページのアドレス［ＵＲＬ（Ｕｎｉｆｏｒｍ  Ｒｅｓｏｕｒｃｅ  Ｌｏｃａｔｏｒ）］をキーボードによりコンピュータへ入力する煩雑な操作が必要である。そして、マウスの本来の機能に付加してこれらの煩雑な入力操作をマウスで簡易に行えれば、極めて利便性の高いものになるが、そのようなマウスはまだ知られていない。
【００１６】
そこで、コンピュータに入力するメールアドレス或いはＵＲＬをマウスによって容易に入力できるようにするために解決すべき技術的課題が生じてくるのであり、本発明は該課題を解決することを目的とする。
【００１７】
【課題を解決するための手段】
本発明は、上記目的を達成するために提案されたものであり、コンピュータの画面に表示されるポインタ等の位置の制御及び、該ポインタで指定したオブジェクトをクリックして決定動作等を制御するマウスに於いて、該マウス本体にイメージセンサを装着したマウス、
及び、該マウス本体にホットキーを設け、該ホットキーを押圧することにより、前記イメージセンサが動作して紙面上等の画像データを読み取れるように構成したマウス、
及び、上記マウス本体に装着した上記イメージセンサに光学式文字認識機能を付与することにより、該イメージセンサにて読み込んだ文字や記号の画像データをキャラクターデータへ変換できるように構成したマウス、
及び、前記イメージセンサに付与した画像データをキャラクターデータへ変換するＯＣＲ機能を、アルファベット及び数字並びに記号に限定したマウス、
並びに、上記イメージセンサの読み取り位置を認識して該イメージセンサの読み取りを可能にするカウンタローラ機能をマウスの光学的移動検出手段に兼備させたマウスを提供せんとするものである。
【００１８】
【発明の実施の形態】
本発明の一実施の形態を図１乃至図５に従って詳述する。図に於いて１はマウスであり、図１乃至図３に示すように、該マウス１はケース２に被蔽され、該ケース２の上面前方に右ボタン３と左ボタン４とが装着されている。
【００１９】
更に、該右ボタン３と左ボタン４との間の中央部にスクロールスイッチ５が前後回動自在に設けられ、該スクロールスイッチ５の上部が前記ケース２より露出されている。
【００２０】
一方、該マウス１の下部にはＬＥＤ（Ｌｉｇｈｔ  ｅｍｉｔｔｉｎｇ  ｄｉｏｄｅ）６ａ、及び、半導体チップ６ｂを備えた光学的移動検出手段６が配設され、該ＬＥＤ６ａから発光された光が前記マウス１のケース２下面に開穿された照射窓６ｃから該マウス１の下方の受光面に照射され、該光の反射光が前記半導体チップ６ｂに入射するように構成されている。そして、該光学的移動検出手段６がマウス１の移動を検出して出力することにより、前記マウス１の移動距離がコンピュータ（図示せず）に入力されるように構成されている。
【００２１】
更に、該マウス１の後端部には、イメージセンサ７が装着されており、該イメージセンサ７が下方になるように、該マウス１を起立させ、該イメージセンサ７を紙面等に当接して例えば右方に摺動することにより、該紙面等に表示された画像データを入力できるように構成されている。又、該イメージセンサ７近傍の右側部にはカウンタローラ８が左右回動自在に装着されており、前記イメージセンサ７を使用して画像を読み取る際には、該カウンタローラ８が回転して前記イメージセンサ７の読み取り位置が検知される。そして、該イメージセンサ７の読み取り動作と前記カウンタローラ８の検知データが同期して確実に該イメージセンサ７にて前記紙面等の画像データを読み取れるように構成している。
【００２２】
一方、該イメージセンサ７にはＯＣＲ（Ｏｐｔｉｃａｌ  Ｃｈａｒａｃｔｅｒ  Ｒｅａｄｅｒ）機能が付与されており、且つ、該ＯＣＲ機能の簡素化のため、該ＯＣＲ機能の読み取り、判別の対象はアルファベット及び数字並びに記号に限定されており、従って、紙面等にて表示されたアルファベットや数字及び記号の画像データを読み取ってキャラクターデータへ変換し、コンピュータへ入力できるように構成している。
【００２３】
更に、該マウス１の左側面には、使用中のソフトウェアを瞬時に切換えるためのホットキー９，９が装着されており、該ホットキー９を押圧することにより、前記イメージセンサ７が動作して紙面上等のデータを読み取れるように設けられている。そして、該押圧を解除することにより該イメージセンサ７の動作が停止する。
【００２４】
又、前記マウス１はケーブル１０にてコンピュータに接続され、該ケーブル１０より電力が供給されると共に、該マウス１より該ケーブル１０を介してコンピュータへデータ等を出力できるように形成している。
【００２５】
而して、使用者が該マウス１を卓上等で移動すれば、前記光学的移動検出手段６によって検出された移動検出値がコンピュータへ出力される。従って、コンピュータの画面に表示されるポインタ等を該マウス１の移動に連動して移動させることができる。
【００２６】
又、左ボタン４をクリックすることにより、例えば、画面に表示されるメニューを選択して決定し、或いは画面上のオブジェクトの実行を為すことができる。一方、右ボタン３をクリックすることにより、コマンド等のメニューがコンピュータの画面上に表示され、該マウス１を操作してポインタを移動することにより該メニューを選択することができる。そして、選択したコマンドの位置にて前記左ボタン４をクリックすれば、該選択されたコマンドが実行される。
【００２７】
更に、使用者が紙面上に表示されたメールアドレスやＵＲＬ等のデータをコンピュータへ入力する際には、先ず、前記イメージセンサ７を下方にして、前記マウス１を起立させ、前記マウス１の後端部に設けられたイメージセンサ７を該データの左端部上面に当接すると共に、前記ホットキー９を押圧する。そして、該マウス１を右方へ摺動することにより、前記カウンタローラ８が回転して該イメージセンサ７が該データを読み取ると共に、コンピュータへ該データを出力する。従って、ＵＲＬやメールアドレスを容易に入力することができる。
【００２８】
このとき、該イメージセンサ７にＯＣＲ機能が付与されているので、該データを画像データからキャラクターデータへ変換してコンピュータへ入力される。更に、該ＯＣＲの機能をアルファベット及び数字並びに記号に限定しているので、画像からキャラクターへのデータ変換を確実且つ迅速に為すことができる。
【００２９】
又、図４及び図５のマウス１ａは、イメージセンサ７ａを該マウス１ａの前方左側部に装着し、該マウス１ａの裏面にてデータの読み取りを行えるように構成している。そして、該マウス１ａの移動距離を検知する光学的移動検出手段６が、イメージセンサ７ａの読み取り位置を検知するカウンタローラの機能をも兼備している。従って、該マウス１ａの底面を紙面上に当接して右方に摺動すれば、該光学的移動検出手段６が該イメージセンサ７ａの読み取り位置を検知するので、確実に該イメージセンサ７ａにて画像データを読み取ることができる。
【００３０】
尚、前記イメージセンサ７，７ａはマウス１に装着したが、該マウス１に代えてペン（図示せず）に装着することも可能であり、然る時も、該ペンに装着したイメージセンサによって簡単にメールアドレスやＵＲＬのデータの読み込みが可能となる。
【００３１】
更に、この場合、該ペンよりコンピュータへのデータの送信は前述と同様にケーブル（図示せず）を用いることができるが、ブルーツース（Ｂｌｕｅｔｏｏｔｈ）  やＩｒＤＡ（Ｉｎｆｒａｒｅｄ  Ｄａｔａ  Ａｓｓｏｃｉａｔｉｏｎ）等の無線によって送信することも可能であり、然る時は、使用者の利便性が更に向上する。
【００３２】
更に又、前記イメージセンサ７を携帯電話（図示せず）に装着すれば、該携帯電話にメールアドレスやＵＲＬの入力を容易に為すことができる。
尚、本発明は、本発明の精神を逸脱しない限り種々の改変を為すことができ、そして、本発明が該改変されたものに及ぶことは当然である。
【００３３】
【発明の効果】
この発明は、上記一実施の形態に詳述したように、請求項１記載の発明は、コンピュータの画面上のポインタ等を制御するマウスにイメージセンサを装着したので、紙面上に表示されたデータを該マウスにてコンピュータに入力することができる。
【００３４】
請求項２記載の発明は、該マウスにホットキーを設け、該ホットキーを押圧することにより前記イメージセンサが動作するように構成しているので、請求項１記載の発明の効果に加え、イメージセンサの動作を確実に操作して不要なデータの入力を防止することができる。
【００３５】
請求項３記載の発明は、マウスに装着したイメージセンサに光学式文字認識機能を付与しているので、請求項１記載の発明の効果に加え、文字や数字及び記号を画像データからキャラクターデータへ変換してコンピュータに入力することができる。
【００３６】
請求項４記載の発明は、前記イメージセンサに付与したＯＣＲ機能をアルファベット及び数字並びに記号に限定しているので、請求項１又は３記載の発明の効果に加え、該ＯＣＲ機能の簡素化を図ることができると共に、データの誤変換を防止して確実にメールアドレスやＵＲＬをコンピュータに入力することができ、且つ、メールアドレスやＵＲＬを画像データからキャラクターデータへ変換する変換時間を短縮することができる。
【００３７】
請求項５記載の発明は、上記イメージセンサの読み取り位置を認識して該イメージセンサの読み取りを可能にするカウンタローラ機能をマウスの光学的移動検出手段に兼備させたので、請求項１記載の発明の効果に加え、部品点数を削減してコストの低減を図ることができる。
【図面の簡単な説明】
【図１】請求項１乃至請求項４の一実施例を示し、マウスの平面図。
【図２】請求項１乃至請求項４の一実施例を示し、マウスの側面図。
【図３】請求項１乃至請求項４の一実施例を示し、マウスの正面図。
【図４】請求項１乃至請求項５の一実施例を示し、マウスの平面図。
【図５】請求項１乃至請求項５の一実施例を示し、マウスの側面図。
【符号の説明】
１，１ａ      マウス
６            光学的移動検出手段
７，７ａ      イメージセンサ
９            ホットキー
【図１】
2004152028.tif 000003
【図２】
2004152028.tif 000004
【図３】
2004152028.tif 000005
【図４】
2004152028.tif 000006
【図５】
2004152028.tif 000007